(57)【要約】【課題】  使用者が自らの感覚によってその残量を把握することができるロール状の長尺シート体であって、簡便に加工するだけでこれを製造することができ、かつ、その残量を把握するための加工をその面状部に施す範囲を狭くしたロール状の長尺シート体を提供する。【解決手段】  ロール状の長尺シート体１は、長尺のシート体からなり、末端１ｃから巻き上げられてロール状に形成されており、均一幅帯１１と狭小化帯１２とを有する。均一幅開始位置１ａから末端１ｃに向う途中にある狭小化開始位置１ｂに至るまでの均一幅帯１１にあっては、均一の幅によって形成されている。狭小化開始位置１ｂから末端１ｃに至るまでの狭小化帯１２にあっては、折り曲げ部１ｄで折り曲げて折り返し部１ｅを形成することによって狭小化開始位置１ｂから末端１ｃに向ってロール状の長尺シート体１の幅が狭小化するように形成されている。【選択図】      図１
2017019526.tif 000002
【特許請求の範囲】
【請求項１】
使用者が自らの感覚によってその残量を把握することができるロール状の長尺シート体であって、長尺のシート体からなり、末端から巻き上げられてロール状に形成されており、均一幅帯と狭小化帯とを有しており、均一幅開始位置から該末端に向う途中にある狭小化開始位置に至るまでの該均一幅帯にあっては、均一の幅によって形成されており、該狭小化開始位置から該末端に至るまでの該狭小化帯にあっては、少なくともその片側を折り曲げ部で折り曲げて折り返し部を形成することによって該狭小化開始位置から該末端に向って該ロール状の長尺シート体の幅が狭小化するように形成されていることを特徴とするロール状の長尺シート体。
【請求項２】
使用者が自らの感覚によってその残量を把握することができるロール状の長尺シート体であって、長尺のシート体からなり、末端から巻き上げられてロール状に形成されており、均一幅帯と狭小化帯とを有しており、均一幅開始位置から該末端に向う途中にある狭小化開始位置に至るまでの均一幅帯にあっては、均一の幅によって形成されており、該狭小化開始位置から該末端に至るまでの該狭小化帯にあっては、その両側を相互に重ならないように折り曲げ部で折り曲げて折り返し部を形成することによって該狭小化開始位置から該末端に向ってロール状の長尺シート体の両幅が均一に狭小化するように形成されていることを特徴とするロール状の長尺シート体。
【請求項３】
請求項１又は２に記載したロール状の長尺シート体であって、前記狭小化帯の長さを前記末端部におけるロール状の長尺シート体の円周長さの２倍の長さまでとすることを特徴とするロール状の長尺シート体。
【請求項４】
請求項１又は２に記載したロール状の長尺シート体であって、前記狭小化帯において前記折り曲げ部に並行して前記折り返し部の幅よりも外側の部分を切除することを特徴とするロール状の長尺シート体。
【請求項５】
請求項１ないし４に記載したロール状の長尺シート体を収納するための箱状の収納部を備える収納容器であって、該収納部は該ロール状の長尺シート体を引き出すための引出し口を備えており、該引出し口の近傍には該ロール状の長尺シート体の幅を表示して使用者がその残量を把握するための幅表示部が設けられていることを特徴とするロール状の長尺シート体を収納する収納容器。
【発明の詳細な説明】
【技術分野】
【０００１】
本発明は、食品包装用ラップフィルム及びセロハンテープやガムテープといった粘着テープ等のロール状の長尺シート体及び該ロール状の長尺シート体を収納するための収納容器に関し、特に使用者が自らの感覚によってその残量を把握することができるロール状の長尺シート体及びこれを収納する収納容器に関する。
【背景技術】
【０００２】
従来、厚紙等で形成された円筒状の芯体にポリエチレン等で形成した長尺のシート体をその末端から巻き付けてロール状に形成した食品包装用ラップフィルムをはじめとするロール状の長尺シート体が提供されてきたところである。また、該ロール状の長尺シート体を収納するための収納容器として、該ロール状の長尺シート体を収納する収納部と該ロール状の長尺シート体を切断するための切断部が設けられている該収納部を開閉するための蓋部とからなる箱形のロール状の長尺シート体用収納容器も提供されてきたところである。
【０００３】
従来一般に提供されてきたロール状の長尺シート体及びこれを収納する収納容器は上記のような構成であるため、使用者が自らの感覚によって該ロール状の長尺シート体の残量を把握することが困難であるという問題があった。そのため、該ロール状の長尺シート体の残量が僅かであるにも拘らず、使用者は予め交換用の新しいロール状の長尺シート体を用意しておくことができず、残量が僅かなロール状の長尺シート体を使用している最中にそれが無くなってしまい作業が中断されてしまうという問題を生じていた。
【０００４】
そこで、従来使用者が自らの感覚によってその残量を把握することができる種々のロール状の長尺シート体も提案されてきたところである。例えば、ロール状の食品包装用ラップフィルムにおいて巻き残りの少なくなった部分の両端に巻き終わりに向って間隔を設けながら孔部を穿設した食品包装用ラップ（例えば、特許文献１参照。）が提案されているとともに、食品包装用ラップフィルムの残量が僅かであることを表示した小片を該ラップフィルムの適当な場所に貼り付けて該ラップフィルムの残量が所定の量以下になった場合には該ラップフィルムロールの外部からそのことを把握することができるラップフィルムロール（例えば、特許文献２参照。）が提案されている。
【先行技術文献】
【特許文献】
【０００５】
【特許文献１】特開平１１−１０５９１８号公報
【特許文献２】特開２００８−２３０７６３号公報
【発明の概要】
【発明が解決しようとする課題】
【０００６】
確かに、上記の従来技術に係るロール状の長尺シート体であれば、使用者が自らの感覚によってその残量を把握することができるため、該ロール状の長尺シート体の残量が僅かである場合には、使用者は予め交換用の新しいロール状の長尺シート体を用意することができるから、残量が僅かなロール状の長尺シート体を使用している最中にそれが無くなってしまい作業が中断されてしまうという問題を生じることがなくなる。
【０００７】
しかしながら、上記の従来技術に係る使用者が自らの感覚によってその残量を把握することができるロール状の長尺シート体は、該食品包装用ラップフィルムの両端に複数の孔部を設けたり（例えば、特許文献１参照。）、あるいはラップフィルムの残量が僅かであることを表示した小片を該ラップフィルムの適当な場所に貼り付けたり（例えば、特許文献２参照。）するため、その加工には手間がかかるという問題があった。
【０００８】
そこで、本発明が解決しようとする第１の課題は、使用者が自らの感覚によってその残量を把握することができるロール状の長尺シート体であって、簡便な加工を施すだけでこれを製造することができるロール状の長尺シート体を提供することにある。
【０００９】
また、上記の従来技術に係る使用者がその残量を把握することができるロール状の長尺シート体は、上記のように該食品包装用ラップフィルムの面状部に孔部を設けたり（例えば、特許文献１参照。）、該ラップフィルムに小片を貼り付けたりして（例えば、特許文献２参照。）、該ロール状の長尺シート体における面状部の広い範囲に加工を施すものであるところ、例えば該ロール状の長尺シート体が食品包装用ラップフィルムである場合には、食品に接触する箇所である該面状部の広い範囲について上記のような加工を施すことには食品衛生上の問題もあった。
【００１０】
そこで、本発明が解決しようとする第２の課題は、使用者が自らの感覚によってその残量を把握することができるロール状の長尺シート体であって、その残量を把握するための加工をその面状部に対して施す範囲を狭くしたロール状の長尺シート体を提供することにある。
【課題を解決するための手段】
【００１１】
本発明は、上記の各課題を解決するために提案されたものであり、以下の構成を有するものである。以下では、本発明の構成を理解することを補助するために、本願に添付した図面に表示した番号及び符号をあわせて記載する。
【００１２】
請求項１に係るロール状の長尺シート体（１）は、使用者が自らの感覚によってその残量を把握することができるロール状の長尺シート体であって、長尺のシート体からなり、末端（１ｃ）から巻き上げられてロール状に形成されており、均一幅帯（１１）と狭小化帯（１２）とを有する。ロール状の長尺シート体（１）は、均一幅開始位置（１ａ）から末端（１ｃ）に向う途中にある狭小化開始位置（１ｂ）に至るまでの均一幅帯（１１）にあっては、均一の幅によって形成されている。ロール状の長尺シート体（１）は、狭小化開始位置（１ｂ）から末端（１ｃ）に至るまでの狭小化帯（１２）にあっては、少なくともその片側を折り曲げ部（１ｄ）で折り曲げて折り返し部（１ｅ）を形成することによって狭小化開始位置（１ｂ）から末端（１ｃ）に向ってロール状の長尺シート体（１）の幅が狭小化するように形成されている。
【００１３】
請求項２に係るロール状の長尺シート体（１）は、使用者が自らの感覚によってその残量を把握することができるロール状の長尺シート体であって、長尺のシート体からなり、末端（１ｃ）から巻き上げられてロール状に形成されており、均一幅帯（１１）と狭小化帯（１２）とを有する。ロール状の長尺シート体（１）は、均一幅開始位置（１ａ）から末端（１ｃ）に向う途中にある狭小化開始位置（１ｂ）に至るまでの均一幅帯（１１）にあっては、均一の幅によって形成されている。ロール状の長尺シート体（１）は、狭小化開始位置（１ｂ）から末端（１ｃ）に至るまでの狭小化帯（１２）にあっては、その両側を相互に重ならないように折り曲げ部（１ｄ）で折り曲げて折り返し部（１ｅ）を形成することによって狭小化開始位置（１ｂ）から末端（１ｃ）に向ってロール状の長尺シート体（１）の両幅が均一に狭小化するように形成されている。
【００１４】
請求項３に係るロール状の長尺シート体（１）は、請求項１又は２に記載したロール状の長尺シート体（１）であって、狭小化帯（１２）の長さを末端（１ｃ）部におけるロール状の長尺シート体（１）の円周長さの２倍の長さまでとする。
【００１５】
請求項４に係るロール状の長尺シート体（１）は、請求項１又は２に記載したロール状の長尺シート体（１）であって、狭小化帯（１２）において折り曲げ部（１ｄ）に並行して折り返し部（１ｅ）の幅（Ｌ）よりも外側の部分を切除する。
【００１６】
請求項５に係るロール状の長尺シート体を収納する収納容器（３）は、請求項１ないし４に記載したロール状の長尺シート体（１）を収納するための箱状の収納部（３１）を備える収納容器であって、収納部（３１）はロール状の長尺シート体（１）を引き出すための引出し口（３１ａ）を備えており、引出し口（３１ａ）の近傍にはロール状の長尺シート体（１）の幅を表示して使用者がその残量を把握するための幅表示部（３１ｂ）が設けられている。
【発明の効果】
【００１７】
本発明に係るロール状の長尺シート体、及びこれを収納する収納容器は、上記の通りの構成であるから、以下のような効果を奏することができる。
【００１８】
まず、請求項１ないし４に記載したロール状の長尺シート体（１）は、均一幅帯（１１）と狭小化帯（１２）とを有するため、ロール状の長尺シート体（１）が狭小化帯（１２）のみ残存する状態になれば、使用者は狭小化帯（１２）の形状を視認するとともに折り返し部（１ｅ）に触れた感触といった自らの感覚によってその残量が僅かであることを明確に把握することができる。そうすると、使用者は予め交換用の新しいロール状の長尺シート体を用意することができるから、残量が僅かなロール状の長尺シート体を使用している最中にそれが無くなってしまい作業が中断されてしまうという問題を生じることはない。
【００１９】
また、請求項５に記載したロール状の長尺シート体を収納する収納容器（３）は、ロール状の長尺シート体（１）の幅を表示して使用者がその残量を把握するための幅表示部（３１ｂ）が設けられており、使用者はロール状の長尺シート体（１）の残量が僅かであることをより明確に把握することができる。
【００２０】
そして、請求項１ないし４に記載したロール状の長尺シート体（１）において狭小化帯（１２）はその片側ないし両側を折り曲げ部（１ｄ）で折り曲げて折り返し部（１ｅ）を形成することによって狭小化開始位置（１ｂ）から末端（１ｃ）に向ってロール状の長尺シート体（１）の幅が狭小化するように加工するだけである。
【００２１】
従って、請求項１ないし４に記載したロール状の長尺シート体（１）は、使用者が自らの感覚によってその残量を把握することができるロール状の長尺シート体であって、簡便な加工を施すだけでこれを製造することができるロール状の長尺シート体を提供するという本発明の第１の課題を解決することができる。
【００２２】
ここで、折り返し部（１ｅ）を形成した長尺のシート体を末端（１ｃ）から巻き上げてロール状に形成する際に折り返し部（１ｅ）が重なっていくと、ロール状の長尺シート体（１）の外周面に凹凸を生じてしまい、長尺のシート体を巻き上げてロール状に形成する際あるいは使用者が収納容器（３）からロール状の長尺シート体（１）を引き出す際に支障になってしまうおそれがある。そこで、請求項２に記載したロール状の長尺シート体（１）は、その両側を相互に重ならないように折り曲げ部（１ｄ）で折り曲げて折り返し部（１ｅ）を形成することによって狭小化開始位置（１ｂ）から末端（１ｃ）に向ってロール状の長尺シート体（１）の両幅が均一に狭小化するように形成されており、請求項３に記載したロール状の長尺シート体（１）は狭小化帯（１２）の長さを末端（１ｃ）部におけるロール状の長尺シート体（１）の円周長さの２倍の長さまでとし、請求項４に記載したロール状の長尺シート体（１）は狭小化帯（１２）において折り曲げ部（１ｄ）に並行して折り返し部（１ｅ）の幅（Ｌ）よりも外側の部分を切除することによって、それぞれ折り返し部（１ｅ）を形成した長尺のシート体を末端（１ｃ）から巻き上げてロール状に形成する際に折り返し部（１ｅ）が重なっていきロール状の長尺シート体（１）の外周面に凹凸の生じることを防止している。
【００２３】
次に、請求項１ないし４に記載したロール状の長尺シート体（１）において狭小化帯（１２）はその片側ないし両側を折り曲げ部（１ｄ）で折り曲げて折り返し部（１ｅ）を形成することによって狭小化開始位置（１ｂ）から末端（１ｃ）に向ってロール状の長尺シート体（１）の幅が狭小化するように加工するだけであるところ、ロール状の長尺シート体（１）の面状部において広い範囲で加工を施す必要はない。そうすると、上記のようにロール状の長尺シート体（１）を食品包装用ラップフィルムとして供給する場合であっても、食品に接触する箇所である面状部に対して広い範囲で加工を施すことはないため食品衛生上の問題も生じ難いのである。
【００２４】
従って、請求項１ないし４に記載したロール状の長尺シート体（１）は、使用者が自らの感覚によってその残量を把握することができるロール状の長尺シート体であって、その残量を把握するための加工をその面状部に対して施す範囲を狭くしたロール状の長尺シート体を提供するという本発明の第２の課題を解決することができる。
【図面の簡単な説明】
【００２５】
【図１】本発明の第１実施形態に係るロール状の長尺シート体及びこれを収納するための収納容器の構造を説明する図である。
【図２】本発明の第１実施形態に係るロール状の長尺シート体及びこれを収納するための収納容器を分解した状態を説明する図である。
【図３】本発明の第２実施形態に係るロール状の長尺シート体及びこれを収納するための収納容器の構造を説明する図である。
【図４】本発明の第２実施形態に係るロール状の長尺シート体及びこれを収納するための収納容器を分解した状態を説明する図である。
【図５】本発明の第３実施形態に係るロール状の長尺シート体及びこれを収納するための収納容器の構造を説明する図である。
【図６】本発明の第３実施形態に係るロール状の長尺シート体及びこれを収納するための収納容器を分解した状態を説明する図である。
【発明を実施するための形態】
【００２６】
まず、本発明の第１実施形態に係るロール状の長尺シート体（１）及びこれを収納するための収納容器（３）の構造及びその使用態様について添付図面に基づいて説明する。以下では、ロール状の長尺シート体（１）を食品包装用ラップフィルムとして提供する場合について説明するが、ロール状の長尺シート体（１）を例えば各種の粘着テープ等として提供することも可能である。
【００２７】
ロール状の長尺シート体（１）は、図１及び２に図示するように、ポリエチレン等で形成した長尺のシート体からなり、厚紙等で形成された円筒状の芯体（２）に取り付けられた末端（１ｃ）から巻き上げられてロール状に形成される。もちろん、芯体（２）がなくても、長尺のシート体をその末端（１ｃ）から巻き上げてロール状に形成することは可能である。
【００２８】
ロール状の長尺シート体（１）は、均一幅帯（１１）と狭小化帯（１２）とを有する。即ち、ロール状の長尺シート体（１）は、その均一幅開始位置（１ａ）から末端（１ｃ）に向う途中にある狭小化開始位置（１ｂ）に至るまでの均一幅帯（１１）にあっては均一の幅によって形成されている。図では均一幅開始位置（１ａ）はロール状の長尺シート体（１）の先端であるが、必ずしも均一幅開始位置（１ａ）をロール状の長尺シート体（１）の先端としなければならないものではない。
【００２９】
一方、ロール状の長尺シート体（１）は、狭小化開始位置（１ｂ）から末端（１ｃ）に至るまでの狭小化帯（１２）にあっては、その片側を折り曲げ部（１ｄ）で折り曲げて折り返し部（１ｅ）を形成することによって狭小化開始位置（１ｂ）から末端（１ｃ）に向ってロール状の長尺シート体（１）の幅が狭小化するように形成されている。
【００３０】
上記のような狭小化帯（１２）は極めて簡便な加工によって形成することができる。また、上記のような加工を施す範囲はロール状の長尺シート体（１）の面状部において狭い範囲で足りるものである。そうすると、ロール状の長尺シート体（１）を食品包装用ラップフィルムとして供給する場合であっても、食品に接触する箇所である面状部に対して広い範囲で加工を施すことはないため食品衛生上の問題も生じ難く、好適である。
【００３１】
収納容器（３）は、図１及び２に図示するように、ロール状の長尺シート体（１）を収納するための収納容器であって、収納部（３１）と蓋部（３２）とから構成される。
【００３２】
収納部（３１）は、ロール状の長尺シート体（１）を収納するための箱状の部位であって、その上面はロール状の長尺シート体（１）を引き出すための引出し口（３１ａ）になっている。
【００３３】
引出し口（３１ａ）の近傍には幅表示部（３１ｂ）が設けられている。幅表示部（３１ｂ）は、ロール状の長尺シート体（１）の幅を表示して使用者がその残量を把握するための表示である。例えば、図示するように、ロール状の長尺シート体（１）における狭小化開始位置（１ｂ）の幅と末端（１ｃ）の幅とを記載するとともに、末端（１ｃ）の幅の表示の近傍には「残量なし」と記載する。
【００３４】
蓋部（３２）は、引出し口（３１ａ）を開閉するための部位であって、収納部（３１）の上縁から延設されており、引出し口（３１ａ）に対応する箇所には引出し口（３１ａ）から引き出したロール状の長尺シート体（１）を切断するための複数の小刃を取り付けた切断部（３２ａ）が形成されている。
【００３５】
使用者は、収納容器（３）からロール状の長尺シート体（１）を引き出し、切断部（３２ａ）に当接させて切断し、適当な長さにしたロール状の長尺シート体（１）を使用する。ロール状の長尺シート体（１）は、上記の通り均一幅帯（１１）と狭小化帯（１２）とを有しているため、ロール状の長尺シート体（１）が狭小化帯（１２）のみを有する状態になれば、使用者は狭小化帯（１２）の形状を視認するとともに折り返し部（１ｅ）に触れた感触といった自らの感覚によってその残量が僅かであることを把握することができる。
【００３６】
また、収納容器（３）には、上記のような幅表示部（３１ｂ）が設けられているため、使用者はロール状の長尺シート体（１）の残量が僅かであることをより明確に把握することができる。
【００３７】
以上が、本発明の第１実施形態に係るロール状の長尺シート体（１）及びこれを収納するための収納容器（３）の構造及びその使用態様についての説明である。次に、本発明の第２実施形態に係るロール状の長尺シート体（１）及びこれを収納するための収納容器（３）の構造及びその使用態様について添付図面に基づいて説明する。尚、本発明の第２実施形態に係るロール状の長尺シート体（１）及びこれを収納するための収納容器（３）は、下記の事項以外、前記の第１実施形態に係るロール状の長尺シート体（１）及びこれを収納するための収納容器（３）と同一である。
【００３８】
ロール状の長尺シート体（１）は、図３及び４に図示するように、狭小化帯（１２）の長さを末端（１ｃ）部におけるロール状の長尺シート体（１）の円周長さの２倍の長さまでとする。換言すれば、ロール状の長尺シート体（１）の末端（１ｃ）が芯体（２）に取り付けられている場合には、狭小化帯（１２）の長さを芯体（２）の円周長さの２倍の長さまでとするのである。即ち、図４に図示するように、芯体（２）の直径を［Ｄ］とし、狭小化開始位置（１ｂ）から末端（１ｃ）へと狭小化する折り曲げ部（１ｄ）の角度を［ｔａｎθ］とした場合に、長尺のシート体を芯体（２）に対して末端（１ｃ）から一巻きすると、π×Ｄ×ｔａｎθ＝Ｗとなるため、Ｗの幅だけ狭小化することになる。そうすると、狭小化帯（１２）の長さを芯体（２）の円周長さの２倍の長さまでとしなければ、折り返し部（１ｅ）を形成した長尺のシート体を末端（１ｃ）から巻き上げてロール状に形成する際に折り返し部（１ｅ）が重なっていき、ロール状の長尺シート体（１）の外周面に凹凸を生じてしまうためである。
【００３９】
また、ロール状の長尺シート体（１）は、狭小化帯（１２）にあっては、その両側を相互に重ならないように折り曲げ部（１ｄ）で折り曲げて折り返し部（１ｅ）を形成することによって狭小化開始位置（１ｂ）から末端（１ｃ）に向ってロール状の長尺シート体（１）の両幅が均一に狭小化するように形成されている。
【００４０】
上記のように、折り返し部（１ｅ）を形成した長尺のシート体を末端（１ｃ）から巻き上げてロール状に形成する際に折り返し部（１ｅ）が重なっていくと、ロール状の長尺シート体（１）の外周面に凹凸を生じてしまい、長尺のシート体を巻き上げてロール状に形成する際あるいは使用者が収納容器（３）からロール状の長尺シート体（１）を引き出す際に支障になってしまうおそれがある。そこで、ロール状の長尺シート体（１）は、その両側を相互に重ならないように折り曲げ部（１ｄ）で折り曲げて折り返し部（１ｅ）を形成することによって狭小化開始位置（１ｂ）から末端（１ｃ）に向ってロール状の長尺シート体（１）の両幅が均一に狭小化するように形成するとともに、狭小化帯（１２）の長さを上記のような長さに制限することによって、折り返し部（１ｅ）を形成した長尺のシート体を末端（１ｃ）から巻き上げてロール状に形成する際に折り返し部（１ｅ）が重なっていきロール状の長尺シート体（１）の外周面に凹凸の生じることを防止する。
【００４１】
以上が、本発明の第２実施形態に係るロール状の長尺シート体（１）及びこれを収納するための収納容器（３）の構造及びその使用態様についての説明である。次に、本発明の第３実施形態に係るロール状の長尺シート体（１）及びこれを収納するための収納容器（３）の構造及びその使用態様について添付図面に基づいて説明する。尚、本発明の第３実施形態に係るロール状の長尺シート体（１）及びこれを収納するための収納容器（３）は、下記の事項以外、前記の第１実施形態及び第２実施形態に係るロール状の長尺シート体（１）及びこれを収納するための収納容器（３）と同一である。
【００４２】
ロール状の長尺シート体（１）は、図５及び６に図示するように、狭小化帯（１２）にあっては、その両側を相互に重ならないように折り曲げ部（１ｄ）で折り曲げて折り返し部（１ｅ）を形成することによって狭小化開始位置（１ｂ）から末端（１ｃ）に向ってロール状の長尺シート体（１）の両幅が均一に狭小化するように形成されている。また、狭小化帯（１２）において折り曲げ部（１ｄ）に並行して折り返し部（１ｅ）の幅（Ｌ）よりも外側の部分を切除する。
【００４３】
ロール状の長尺シート体（１）の長さを上記のような範囲で切除することによって、折り返し部（１ｅ）を形成した長尺のシート体を末端（１ｃ）から巻き上げてロール状に形成する際に折り返し部（１ｅ）が重なっていきロール状の長尺シート体（１）の外周面に凹凸の生じることを防止する。また、上記のような構成によれば、折り返し部（１ｅ）が重なっていかないようにしながらも、狭小化帯（１２）の長さを比較的長くとることができ、使用者にロール状の長尺シート体（１）の残量が僅かであることを把握させることのできる範囲が広くなって、好適である。
【符号の説明】
【００４４】
１  ロール状の長尺シート体
１ａ  均一幅開始位置
１ｂ  狭小化開始位置
１ｃ  末端
１ｄ  折り曲げ部
１ｅ  折り返し部
１１  均一幅帯
１２  狭小化帯
２  芯体
３  収納容器
３１  収納部
３１ａ  引出し口
３１ｂ  幅表示部
３２  蓋部
３２ａ  切断部
Ｌ  折り返し部の幅
【図１】
2017019526.tif 000003
【図２】
2017019526.tif 000004
【図３】
2017019526.tif 000005
【図４】
2017019526.tif 000006
【図５】
2017019526.tif 000007
【図６】
2017019526.tif 000008